(57)【要約】【課題】利用者の身体的負担を緩和し、かつ利用者が空調が利いていると体感することができるような空調制御を行う空気調和機を提供する。【解決手段】室内機１は、制御部１１と、記憶部１２とを備えている。記憶部１２は、ＤＲＡＭやＦＲＯＭなどであり、温度制御の基準となる値である基準値ΔＴなどを記憶する。制御部１１は、室内温度Ｔｉと、外気温度ＴＯと、設定温度ＴＳとに基づいて目標温度Ｔｄを決定する。そして、目標温度Ｔｄに基づいてコンプレッサーの回転数を増減するなどし、外気温度ＴＯと室内温度Ｔｉとの差がΔＴｍｉｎ〜ΔＴｍａｘとなるような空調制御を行う。【選択図】　　　図１
2004003727.tif 000002
【特許請求の範囲】
【請求項１】
温度制御の基準となる値である基準値を記憶する記憶手段（１２）と、
室内温度と室外温度との差が前記基準値の範囲内となるように空調制御する制御手段（１１）と、
を備えた空気調和機。
【請求項２】
前記基準値の範囲は、利用者の身体的負担が小さく且つ空調が効いていると体感できる範囲である、請求項１に記載の空気調和機。
【請求項３】
前記記憶手段（１２）は、省エネ推奨温度をさらに記憶し、
前記制御手段（１１）は、設定温度が前記省エネ推奨温度を上回った又は下回った状態で所定時間空調制御をした場合、その後前記省エネ推奨温度を設定温度として空調制御する、請求項１又は２に記載の空気調和機。
【発明の詳細な説明】
【０００１】
【発明の属する技術分野】
本発明は、空気調和機に関する。
【０００２】
【従来の技術】
通常、空気調和機の冷暖房の制御は、ユーザにより設定された温度（設定温度）に基づいて行われる。例えば、冷房の設定温度が２６℃の場合、室温がこの２６℃に一致するように冷房が行われる。この室内温度を設定温度に一致させる空調制御として、例えばＰＩＤ制御が知られている。
【０００３】
【発明が解決しようとする課題】
しかし、上述のような固定的な設定温度で空調制御を行うと、日々の天候によっては寒く感じたり、暑く感じたりすることがあり、十分な快適性を提供できない。また、室温と外気温との差が激しい場合、利用者の身体的負担が大きくなる。一方、室温と外気温との差が殆どなければ、利用者が空調が効いていると体感できず、過度に設定温度を下げるなどの動作を行わせる原因となり、エネルギーの浪費につながる。
【０００４】
本発明は、利用者の身体的負担を緩和し、かつ利用者が空調が効いていると体感することができるような空調制御を行う空気調和機を提供することを目的とする。
【０００５】
【課題を解決するための手段】
請求項１に係る空気調和機は、記憶手段と、制御手段とを備えている。記憶手段は、温度制御の基準となる値である基準値を記憶する。制御手段は、室内温度と室外温度との差が基準値の範囲内となるように空調制御する。
ここでは、ＦＲＯＭなどの記憶手段に基準値が記憶される。そして、制御手段により室内温度と室外温度との差が基準値の範囲内に収まるように空調制御される。
【０００６】
このように、ここでは室内温度と室外温度との差が基準値の範囲内に収まるように空調制御されるため、利用者の身体的負担が緩和され、かつ利用者が空調が効いていると体感することができる。また、基準値を比較的小さな値にすれば、室外温度と室内温度との差が大きい場合空気調和機への負荷が軽減され、省エネルギーを図ることが可能である。
【０００７】
請求項２に係る空気調和機は、請求項１に記載の空気調和機において、基準値の範囲は、利用者の身体的負担が小さく且つ空調が効いていると体感できる範囲である。
ここでは、上記のように基準値の範囲が比較的小さくなるように基準値の設定が為されている。
【０００８】
請求項３に係る空気調和機は、請求項１又は２に記載の空気調和機において、記憶手段は、省エネ推奨温度をさらに記憶し、制御手段は、設定温度が省エネ推奨温度を上回ったまたは下回った状態で所定時間空調制御をした場合、その後省エネ推奨温度を設定温度として空調制御する。
ここでは、設定温度が省エネ推奨温度を上回ったまたは下回った状態で所定時間、例えば１時間空調制御された場合、その後省エネ推奨温度を設定温度として空調制御する。
【０００９】
このように、ここでは省エネ推奨温度を適切な値に設定しておけば、過度な設定温度で長時間空調制御されることを防ぐことができ、省エネルギーをもたらすことができる。
【００１０】
【発明の実施の形態】
＜第１実施形態＞
図１は、本発明を利用した空気調和機の全体構成図である。この空気調和機は、室内機１と、室外機２と、リモコン３と、外気温サーミスタ４と、室温サーミスタ５と、制御部１１と、記憶部１２とを有している。リモコン３は、室内機２の設定温度ＴＳの入力を受け付ける。室外機２は、圧縮機２ａと、四路切換弁と、室外熱交換器と、室外送風機（図示せず）とを有している。室内機１は、図示しない室内熱交換器と室内送風機とを有している。そして、圧縮機２ａ、四路切換弁、室外熱交換器、室内熱交換機及び圧縮機２ａを順次冷媒配管にて環状に接続して冷媒を循環させる冷房サイクルを形成する。また、圧縮機２ａ、四路切換弁、室内熱交換機、室外熱交換器及び圧縮機２ａを順次冷媒配管にて環状に接続して冷媒を循環させる暖房サイクルを形成する。外気温サーミスタ４は、外気温度ＴＯを検知し制御部１１に送信する。室温サーミスタ５は、室内温度Ｔｉを検知し制御部１１に送信する。
【００１１】
記憶部１２は、ＤＲＡＭやＦＲＯＭなどであり、温度制御の基準となる値である基準値ΔＴｍｉｎ，ΔＴｍａｘなどを記憶する。制御部１１は、室内温度Ｔｉを設定温度ＴＳに一致させる第１制御処理を行う。あるいは、制御部１１は、室内温度Ｔｉと、外気温度ＴＯと、設定温度ＴＳとに基づいて目標温度Ｔｄを決定し、目標温度Ｔｄに基づいてコンプレッサー２ａの回転数を増減するなどし、室内温度Ｔｉを目標温度Ｔｄに一致させる第２制御処理を行う。制御部１１に第１制御処理または第２制御処理のいずれかを行わせるかは、リモコン３により選択可能である。
【００１２】
［第２制御処理］
図２は、制御部１１が行う第２制御処理の流れを示すフローチャートである。この処理では、制御部１１は、室内温度Ｔｉと、外気温度ＴＯと、設定温度ＴＳとに基づいて目標温度Ｔｄを決定し、室内温度Ｔｉを目標温度Ｔｄに一致させるようにコンプレッサー２ａなどの制御を行う。
【００１３】
ステップＳ１０では、基準値ΔＴｍｉｎ，ΔＴｍａｘがリモコン３により入力されたか否かを判断する。入力された場合、ステップＳ１１へ移行する。入力されなかった場合、ステップＳ１２へ移行する。
ステップＳ１１では、入力された基準値ΔＴｍｉｎ，ΔＴｍａｘを記憶部１２へ記憶する。
【００１４】
ステップＳ１２では、設定温度ＴＳがリモコン３により入力されたか否かを判断する。入力された場合、ステップＳ１３へ移行する。入力されなかった場合、ステップＳ１４へ移行する。
ステップＳ１３では、入力されたＴＳを目標温度Ｔｄとして記憶部１２へ記憶する。
【００１５】
ステップＳ１４では、室温サーミスタ５から室内温度Ｔｉを、外気温サーミスタ４から外気温度ＴＯをそれぞれ取得する。
ステップＳ１５では、室内温度Ｔｉ＝目標温度Ｔｄか否かを判断する。Ｔｉ＝Ｔｄの場合、ステップＳ１６へ移行する。Ｔｉ＝Ｔｄでない場合、ステップＳ２０へ移行する。
【００１６】
ステップＳ１６では、（ＴＯ−Ｔｉ）＞ΔＴｍａｘか否かを判断する。（ＴＯ−Ｔｉ）＞ΔＴｍａｘの場合、ステップＳ１９へ移行する。（ＴＯ−Ｔｉ）＞ΔＴｍａｘでない場合、ステップＳ１７へ移行する。
ステップＳ１７では、（ＴＯ−Ｔｉ）＜ΔＴｍｉｎか否かを判断する。（ＴＯ−Ｔｉ）＜ΔＴｍｉｎの場合、ステップＳ１８へ移行する。（ＴＯ−Ｔｉ）＜ΔＴｍｉｎでない場合、ステップＳ２０へ移行する。
【００１７】
ステップＳ１８では、目標温度Ｔｄをデクリメントして記憶部１２へ記憶する。なお、このデクリメントの量は、一定量、例えば、−１であってもよいし、（ＴＯ−Ｔｉ）−ΔＴｍｉｎの値に応じて決定、例えば、−１＜（ＴＯ−Ｔｉ）−ΔＴｍｉｎ＜０の場合はデクリメント量＝０、−２＜（ＴＯ−Ｔｉ）−ΔＴｍｉｎ＜＝−１の場合はデクリメント量＝−１、・・などとしてもよい。
【００１８】
ステップＳ１９では、目標温度Ｔｄをインクリメントして記憶部１２へ記憶する。なお、このインクリメントの量は、一定値、例えば、１であってもよいし、（ＴＯ−Ｔｉ）−ΔＴｍａｘの値に応じて決定、例えば、０＜（ＴＯ−Ｔｉ）−ΔＴｍａｘ＜１の場合はインクリメント量＝０、１＝＜（ＴＯ−Ｔｉ）−ΔＴｍａｘ＜２の場合はインクリメント量＝１・・などとしてもよい。
【００１９】
ステップＳ２０では、室内温度Ｔｉを目標温度Ｔｄに一致させるように空調室内機１の制御を行う。なお、この室内温度Ｔｉを目標温度Ｔｄに一致させる制御としては、例えばＰＩＤ制御が挙げられる。
以上のような制御処理により、外気温度ＴＯと室内温度Ｔｉとの差がΔＴｍｉｎ〜ΔＴｍａｘとなるような空調制御が行われる。従って、ΔＴｍｉｎ，ΔＴｍａｘを適当な値、例えば経験的に身体にとって好ましいとされる２℃と５℃とに設定すれば、室内にいる利用者は、空調が効いていると体感することができ、かつ室温と外気温との落差による身体的負担が軽減される。あるいは、ΔＴを比較的小さな値、例えば２℃にすれば、外気温度ＴＯと室内温度Ｔｉとの差が大きい場合は圧縮機２ａへの負荷が軽減され、省エネルギーを図ることが可能である。
【００２０】
＜その他の実施形態＞
前記第１実施形態の第２制御処理において、記憶部１２にはΔＴが記憶され、外気温度ＴＯと室内温度Ｔｉとの差がΔＴとなるように空調制御された。しかし、予めデフォルトの設定温度を省エネ推奨温度などとして記憶しておき、第１制御処理が選択され、リモコン３により設定温度ＴＳが変更された後所定時間経過、例えば１時間経過した場合、そのデフォルトの設定温度を設定温度ＴＳとして空調制御するようにしてもよい。この場合、省エネ推奨温度を適切に設定しておけば、設定温度ＴＳが過度に低い温度に設定されたとしても、所定時間経過後は省エネ推奨温度が設定温度ＴＳとして空調制御され、省エネルギーを図ることができる。
【００２１】
【発明の効果】
請求項１又は２に係る発明では、室内温度と室外温度との差が基準値の範囲内に収まるように空調制御されるため、利用者の身体的負担が緩和され、かつ利用者が空調が効いていると体感することができる。また、基準値を比較的小さな値にすれば、室外温度と室内温度との差が大きい場合空気調和機への負荷が軽減され、省エネルギーを図ることが可能である。
【００２２】
請求項３に係る発明では、省エネ推奨温度を適切な値に設定しておけば、過度な設定温度で長時間空調制御されることを防ぐことができ、省エネルギーをもたらすことができる。
【図面の簡単な説明】
【図１】第１実施形態に係る空気調和機の全体構成図。
【図２】制御処理の流れを示すフローチャート。
【符号の説明】
１：空調室内機
１１：制御部
１２：記憶部
２：空調室外機
３：リモコン
４：外気温サーミスタ
５：室温サーミスタ
【図１】
2004003727.tif 000003
【図２】
2004003727.tif 000004